(57)【要約】【課題】  ステータコアの反りや撓み等の変形を防止して、薄型化を図ると共に回転特性の向上化を図ること。【解決手段】  軸線Ｌ回りに回転可能に支持された軸体１０と、該軸体１０に保持された環状の永久磁石１１と、該永久磁石１１の周囲を囲むように配された環状部と、該環状部に基端が固定されると共に永久磁石１１側に向かう半径方向に延出するよう形成され、軸線Ｌを中心として所定角度毎に複数設けられた歯極部と、該複数の歯極部の先端にそれぞれ略直角に折り曲げられて形成され、永久磁石１１の外周面１ａに対向する面２２ａを有する折曲部２２とを有するステータコア１２と、複数の歯極部にそれぞれ巻回された励磁可能なコイル１３と、非磁性体材料により形成され、少なくとも隣り合う折曲部２２を連結して隣接する歯極部同士を一体的に固定する連結部２５とを備えているモータ２及び該モータ２を有する記録媒体駆動装置１を提供する。【選択図】  図１
2006136139.tif 000002
【特許請求の範囲】
【請求項１】
軸線回りに回転可能に支持された軸体と、
該軸体に保持された環状の永久磁石と、
該永久磁石の周囲を囲むように配された環状部と、該環状部に基端が固定されると共に前記永久磁石側に向かう半径方向に延出するよう形成され、前記軸線を中心として所定角度毎に複数設けられた歯極部と、該複数の歯極部の先端にそれぞれ略直角に折り曲げられて形成され、前記永久磁石の外周面に対向する面を有する折曲部とを有するステータコアと、
複数の前記歯極部にそれぞれ巻回された励磁可能なコイルと、
非磁性体材料により形成され、少なくとも隣り合う前記折曲部を連結して隣接する歯極部同士を一体的に固定する連結部とを備えていることを特徴とするモータ。
【請求項２】
請求項２記載のモータにおいて、
前記連結部は、複数の前記折曲部を周囲から囲んで連結するよう環状に形成され、全ての前記歯極部を一体的に固定することを特徴とするモータ。
【請求項３】
請求項１又は２記載のモータにおいて、
非磁性体材料により環状に形成されると共に前記コイルに隣接配置され、複数の前記折曲部にそれぞれ嵌合可能な嵌合溝を内周面に有しているシート状の補強板を備えていることを特徴とするモータ。
【請求項４】
請求項３記載のモータにおいて、
前記補強板は、前記コイル側に強磁性体の磁気膜を有しており、少なくとも前記コイル及び前記ステータコアからの磁束を遮断することを特徴とするモータ。
【請求項５】
請求項３又は４記載のモータにおいて、
前記補強板と前記連結部とが、一体的に構成されていることを特徴とするモータ。
【請求項６】
軸線回りに回転可能に支持された軸体と、
該軸体に保持された環状の永久磁石と、
該永久磁石の周囲を囲むように配された環状部と、該環状部に基端が固定されると共に前記永久磁石側に向かう半径方向に延出するよう形成され、前記軸線を中心として所定角度毎に複数設けられた歯極部と、該複数の歯極部の先端にそれぞれ略直角に折り曲げられて形成され、前記永久磁石の外周面に対向する面を有する折曲部とを有するステータコアと、
複数の前記歯極部にそれぞれ巻回された励磁可能なコイルと、
非磁性体材料により環状に形成されると共に前記コイルに隣接配置され、複数の前記折曲部にそれぞれ嵌合可能な嵌合溝を内周面に有しているシート状の補強板とを備え、
該補強板は、前記嵌合溝を介して複数の前記折曲部を周囲から囲むように連結し、全ての前記歯極部を一体的に固定することを特徴とするモータ。
【請求項７】
請求項６記載のモータにおいて、
前記補強板は、前記コイル側に強磁性体の磁気膜を有しており、少なくとも前記コイル及び前記ステータコアからの磁束を遮断することを特徴とするモータ
【請求項８】
請求項１から７のいずれか１項に記載のモータと、
前記軸体に設けられ、各種情報を記録可能な記録媒体を保持する保持部と、
前記軸体を前記軸線回りに回転可能に支持する軸受部とを備えることを特徴とする記録媒体駆動装置。
【発明の詳細な説明】
【技術分野】
【０００１】
本発明は、ＨＤ（ハードディスク）等の記録媒体を回転駆動するモータ及び該モータを有する記録媒体駆動装置に関するものである。
【背景技術】
【０００２】
近年、ハードディスクドライブ装置（ＨＤＤ）を用いた情報記録再生装置は、携帯音楽再生装置や携帯電話機等に採用され始めている。特に、携帯型の情報記録再生装置は、その利便性から今後の主流となるものであり、さらなる小型化及び薄型化が求められている。これに伴い、ＨＤ（ハードディスク）を駆動するスピンドルモータの小型化及び薄型化の改良がなされてきた。
スピンドルモータを小型化及び薄型化する方法としては、従来より様々な方法や構成が提案されている。例えば、超薄型の電磁鋼板やアモルファス鋼板を積層することでステータコアの薄型化を図るモータの積層コアが知られている（例えば、特許文献１参照）。
また、ステータコアの塗装方法を改良することで、モータの小型化及び薄型化を図るモータ用ステータが知られている（例えば、特許文献２参照）。
【０００３】
一方、モータを小型化及び薄型化した場合、モータの剛性が低下してしまい、モータの回転特性（振動特性）に影響を与える恐れがある。そこで、このような不都合をなくすため、振動緩衝部を設けることで、振動特性を向上させ、共振等の発生を防止したモータが知られている（例えば、特許文献３参照）。これにより、モータの剛性低下に伴う振動発生を抑えることができるので、モータの小型化を図ることができる。
また、ステータコアを所定位置に位置決めさせる径方向位置決め部及び軸方向位置決め部を設けることで、ステータコアを高精度に位置決めさせることができると共に、径方向位置決め部及び軸方向位置決め部を有する固定部材の剛性を高めることができるモータが知られている（例えば、特許文献４参照）。これにより、機械的剛性の低下を抑えることができるので、モータの小型化を図ることができる。
【０００４】
上述したいずれの場合も、モータの小型化及び薄型化を図ることで、情報記録再生装置全体の小型化及び薄型化を行っている。また、いずれのモータにおいても、ステータコアは、一般的な積層構造が採用されている。
【特許文献１】特開２０００−５７７４７号公報
【特許文献２】特開２００１−１０３６８６号公報
【特許文献３】特開２００３−２４４８９０号公報
【特許文献４】特開２００４−１３５４６７号公報
【発明の開示】
【発明が解決しようとする課題】
【０００５】
しかしながら、上記特許文献１から４に記載された従来のものは、以下の課題が残されている。
即ち、情報記録再生装置をより小型及び薄型にして、形態性や利便性等をさらに高めるためには、スピンドルモータ等のモータも同様に、より小型化及び薄型化を図る必要がある。そのためには、ステータコアのさらなる薄型化が不可欠となり、ステータコアの単層化も視野に入れる必要がある。ところが、ステータコアをより薄型、例えば、単層化した場合には、反りや撓みが生じてしまい、その結果、モータの回転特性に影響を与えてしまう恐れがあった。
特に、コイルが巻回される歯極部は、基端部が環状の連結部に支持された片持ち状態であるので、反りや撓みが顕著に発生し易い。その結果、ステータコア全体に反りや撓みが生じる恐れがある。
【０００６】
ここで、特許文献１及び２に記載されているモータは、モータの小型化を図るものとはいえ、ステータコアの積層を前提とするものであり、その上で積層方法や塗装方法を工夫している。従って、上述したような、ステータコア自身の、例えば、単層化した場合における反りや撓みを解消することは困難なものであった。
また、特許文献３及び４に記載されているモータは、モータの剛性低下を抑えることで、モータの小型化を図るものであり、やはり同様にステータコア自身の、例えば、単層化した場合における反りや撓みを解消することは困難なものであった。また、これらモータも、ステータコアは積層型を前提としている。
【０００７】
本発明は、このような事情に考慮してなされたもので、その目的は、ステータコアの反りや撓み等の変形を防止して、薄型化を図ると共に回転特性の向上化を図ることができる
モータ及び該モータを有する記録媒体駆動装置を提供することである。
【課題を解決するための手段】
【０００８】
本発明は、前記課題を解決するために以下の手段を提供する。
本発明のモータは、軸線回りに回転可能に支持された軸体と、該軸体に保持された環状の永久磁石と、該永久磁石の周囲を囲むように配された環状部と、該環状部に基端が固定されると共に前記永久磁石側に向かう半径方向に延出するよう形成され、前記軸線を中心として所定角度毎に複数設けられた歯極部と、該複数の歯極部の先端にそれぞれ略直角に折り曲げられて形成され、前記永久磁石の外周面に対向する面を有する折曲部とを有するステータコアと、複数の前記歯極部にそれぞれ巻回された励磁可能なコイルと、非磁性体材料により形成され、少なくとも隣り合う前記折曲部を連結して隣接する歯極部同士を一体的に固定する連結部とを備えていることを特徴とするものである。
【０００９】
この発明に係るモータにおいては、コイルに所定の電流、例えば、三相交流電流を供給することで、コイルを励磁させて磁界を発生させる。この磁界により、永久磁石は、軸体と共に軸線回りに回転を行う。特に、ステータコアは、歯極部の先端に折曲部を有しているので、永久磁石とステータコアとの間の磁束の受け渡しが密になる。従って、ステータコアを介してコイルに磁束を集中することができ、回転効率を向上させることができる。
【００１０】
ここで、ステータコアの複数の折曲部のうち、少なくとも隣り合う折曲部は、連結部によって連結されている。これにより、軸線を中心として所定角度毎に（周方向に向けて等間隔毎に）環状部から半径方向に延出された複数の歯極部のうち、隣接する歯極部同士が一体的に固定される。
従って、ステータコアを極力薄く形成したとしても、環状部に片持ち状態で固定されている歯極部の機械的強度を向上させることができ、歯極部の反りや撓み等の変形を極力抑えることができる。その結果、ステータコア全体の反りや撓み等の変形をなくして剛性を高めることができる。よって、モータ全体の薄型化を図ることができると共に回転特性の向上化を図ることができる。
また、連結部は、非磁性体材料なので、磁束に影響、即ち、回転効率に影響を与えることはない。
【００１１】
また、本発明のモータは、上記本発明のモータにおいて、前記連結部が、複数の前記折曲部を周囲から囲んで連結するよう環状に形成され、全ての前記歯極部を一体的に固定することを特徴とするものである。
【００１２】
この発明に係るモータにおいては、環状（リング状）に形成された連結部を、全ての折曲部を周囲から囲んで連結するように取り付けることで、全ての歯極部を一体的に固定することができる。つまり、片持ち状の各歯極部は、それぞれ先端側で連結された状態となる。従って、ステータコアの機械的強度がより向上し、反りや撓み等が発生することを防止することができる。また、回転特性をさらに向上させることができる。
【００１３】
また、本発明のモータは、上記本発明のモータにおいて、非磁性体材料により環状に形成されると共に前記コイルに隣接配置され、複数の前記折曲部にそれぞれ嵌合可能な嵌合溝を内周面に有しているシート状の補強板を備えていることを特徴とするものである。
【００１４】
この発明に係るモータにおいては、内周面に形成された嵌合溝を複数の折曲部に嵌合させるように補強板を嵌め込むことで、全ての歯極部を一体的に固定することができる。つまり、片持ち状の各歯極部は、それぞれ先端側で連結された状態となる。従って、ステータコアの機械的強度がさらに向上し、反りや撓み等を発生することを防止することができる。また、回転特性をさらに向上させることができる。
また、補強板は、シート状であるので、折曲部の高さ以内に納めることができ、該補強板を取り付けることで厚みが増すことはない。更に、補強板は、非磁性体材料により形成されているので、コイルに隣接配置したとしても、磁束に影響、即ち、回転効率に影響を与えることはない。
【００１５】
また、本発明のモータは、上記本発明のモータにおいて、前記補強板が、前記コイル側に強磁性体の磁気膜を有しており、少なくとも前記コイル及び前記ステータコアからの磁束を遮断することを特徴とするものである。
【００１６】
この発明に係るモータにおいては、補強板がコイル側に磁気膜を有しているので、コイルやステータコアから発生した磁束を遮断でき、余計な磁束を外部に漏洩することを防止できる。よって、磁束を有効に利用でき、回転効率をより向上させることができる。
【００１７】
また、本発明のモータは、上記本発明のモータにおいて、前記補強板と前記連結部とが、一体的に構成されていることを特徴とするものである。
【００１８】
この発明に係るモータにおいては、補強板と連結部とが一体的に構成されているので、折曲部への取り付けが容易になると共に部品点数を減らせるので組み立て易い。
【００１９】
また、本発明のモータは、軸線回りに回転可能に支持された軸体と、該軸体に保持された環状の永久磁石と、該永久磁石の周囲を囲むように配された環状部と、該環状部に基端が固定されると共に前記永久磁石側に向かう半径方向に延出するよう形成され、前記軸線を中心として所定角度毎に複数設けられた歯極部と、該複数の歯極部の先端にそれぞれ略直角に折り曲げられて形成され、前記永久磁石の外周面に対向する面を有する折曲部とを有するステータコアと、複数の前記歯極部にそれぞれ巻回された励磁可能なコイルと、非磁性体材料により環状に形成されると共に前記コイルに隣接配置され、複数の前記折曲部にそれぞれ嵌合可能な嵌合溝を内周面に有しているシート状の補強板とを備え、該補強板が、前記嵌合溝を介して複数の前記折曲部を周囲から囲むように連結し、全ての前記歯極部を一体的に固定することを特徴とするものである。
【００２０】
この発明に係るモータにおいては、コイルに所定の電流、例えば、三相交流電流を供給することで、コイルを励磁させて磁界を発生させる。この磁界により、永久磁石は、軸体と共に軸線回りに回転を行う。特に、ステータコアは、歯極部の先端に折曲部を有しているので、永久磁石とステータコアとの間の磁束の受け渡しが密になる。従って、ステータコアを介してコイルに磁束を集中することができ、回転効率を向上させることができる。
【００２１】
ここで、内周面に形成された嵌合溝を複数の折曲部に嵌合させるように環状のシート板を嵌め込むことで、全ての歯極部を一体的に固定することができる。つまり、片持ち状の各歯極部は、それぞれ先端側で連結された状態となる。これにより、ステータコアを極力薄く形成したとしても、環状部に片持ち状態で固定されている歯極部の機械的強度を向上させることができ、歯極部の反りや撓み等の変形を極力抑えることができる。その結果、ステータコア全体の反りや撓みをなくして剛性を高めることができる。よって、モータ全体の薄型化を図ることができると共に回転特性の向上化を図ることができる。
また、補強板は、シート状であるので、折曲部の高さ以内に納めることができ、該補強板を取り付けることで厚みが増すことはない。更に、補強板は、非磁性体材料により形成されているので、コイルに隣接配置したとしても、磁束に影響、即ち、回転効率に影響を与えることはない。
【００２２】
また、本発明のモータは、上記本発明のモータにおいて、前記シート板が、前記コイル側に強磁性体の磁気膜を有しており、少なくとも前記コイル及び前記ステータコアからの磁束を遮断することを特徴とするものである。
【００２３】
この発明に係るモータにおいては、補強板がコイル側に磁気膜を有しているので、コイルやステータコアから発生した磁束を遮断でき、余計な磁束を外部に漏洩することを防止できる。よって、磁束を有効に利用でき、回転効率をより向上させることができる。
【００２４】
また、本発明の記録媒体駆動装置は、上記本発明のいずれかに記載のモータと、前記軸体に設けられ、各種情報を記録可能な記録媒体を保持する保持部と、前記軸体を前記軸線回りに回転可能に支持する軸受部とを備えることを特徴とするものである。
【００２５】
この発明に係る記録媒体駆動装置においては、薄型のモータを有しているので、装置全体の薄型化、小型化を図ることができる。また、回転特性の良いモータを有しているので、軸体及び保持部を介して記録媒体を高精度に回転させることができ、信頼性を向上することができる。
【発明の効果】
【００２６】
本発明のモータによれば、ステータコアを極力薄く形成したとしても、環状部に片持ち状態で固定されている歯極部の機械的強度を向上させることができ、歯極部の反りや撓み等の変形を極力抑えることができる。その結果、ステータコア全体の変形をなくして剛性を高めることができ、モータ全体の薄型化を図ることができると共に回転特性の向上化を図ることができる。
また、本発明の記録媒体駆動装置によれば、薄型及び回転特性の良いモータを有しているので、装置全体の薄型化、小型化を図ることができると共に、軸体及び保持部を介して記録媒体を高精度に回転させることができ、信頼性を向上することができる。
【発明を実施するための最良の形態】
【００２７】
以下、本発明に係るモータ及び記録媒体駆動装置の第１実施形態を、図１及び図２を参照して説明する。
本実施形態の記録媒体駆動装置１は、図１に示すように、各種情報を記録可能なハードディスク（記録媒体）ＨＤを軸線Ｌ回りに回転駆動するスピンドルモータ（モータ）２と、該スピンドルモータ２の後述するロータ（軸体）１０に設けられ、上記ハードディスクＨＤを嵌合保持する嵌合部（保持部）３と、ロータ１０を軸線Ｌ回りに回転可能に支持する流体動圧軸受部（軸受部）４とを備えている。
【００２８】
上記スピンドルモータ２は、軸線Ｌ回りに回転可能に支持されたロータ１０と、該ロータ１０に保持された環状の永久磁石１１と、該永久磁石１１の周囲を囲むように配されたステータコア１２と、励磁可能なコイル１３とを備えており、コイル１３と永久磁石１１との間に働く磁力により、ステータコア１２に対してロータ１０が軸線Ｌ回りに回転するようになっている。
上記ロータ１０は、カップ状に形成されており、外周面から半径方向外方に延びて形成されたフランジ部１４と、該フランジ部１４と共に上記永久磁石１１を保持するヨーク部１５と、ロータ１０の上面に軸線Ｌを中心として形成され、後述するシャフト４０が嵌合可能な嵌合孔１６とを備えている。また、上記嵌合部３は、ロータ１０の外周面に設けられている。
【００２９】
上記永久磁石１１は、周方向に直交する断面が矩形状になるように形成されており、その外周面１１ａが軸線Ｌに平行な方向に延びた面となっている。
上記ステータコア１２は、図１及び図２に示すように、永久磁石１１の周囲を囲むように配されたコアバック（環状部）２０と、該コアバック２０に基端が固定されると共に永久磁石１１側に向かう半径方向に延出するよう形成され、軸線Ｌを中心として所定角度毎に複数設けられた歯極部２１と、該複数の歯極部２１の先端にそれぞれ略直角（Ｌ字状）に折り曲げられて形成され、永久磁石１１の外周面１１ａに対向する対向面２２ａを有する折曲部２２とを有している。
【００３０】
歯極部２１は、例えば、軸線Ｌ回りに角度４０度毎に９つ形成されている。そして、上記コイル１３は、この複数の歯極部２１にそれぞれ巻回されるようになっている。具体的には、３相（Ｕ相、Ｖ相、Ｗ相）となるように、３つおきに（間を２つあけて）コイル１３がそれぞれ電気的に接続されている。また、コイル１３間の渡り線は、コアバック２０に形成された係止部２０ａによって係止されている。
上記折曲部２２は、歯極部２１の幅より幅広に形成された状態で上記ハードディスクＨＤ側に向けて直角に折り曲げられている。また、折曲部２２は、対向面２２ａと永久磁石１１の外周面１１ａとの距離が一定となるように上面視円弧状に形成されている。
【００３１】
また、本実施形態のスピンドルモータ２は、非磁性体材料により形成され、少なくとも隣り合う折曲部２２を連結して、隣接する歯極部２１同士を一体的に固定する支持体（連結部）２５を備えている。具体的には、支持体２５は、プラスチック、アルミニウムやセラミック等により、複数の折曲部２２を周囲から囲んで連結するように環状（リング状）に形成され、全ての折曲部２２を内周面に当接させるように嵌め込まれることで、全ての歯極部２１を一体的に固定できるようになっている。
また、支持体２５は、折曲部２２に嵌め込まれた時に、上面が折曲部２２の上面より突出しないようになっている。つまり、支持体２５の厚みは、スピンドルモータ２全体の厚みに影響しないようになっている。
【００３２】
また、スピンドルモータ２は、上記ステータコア１２を固定するステータ３０を備えている。このステータ３０は、上記流体動圧軸受部４の後述するハウジング４１が嵌合するボス部３１が軸線Ｌ側に形成されていると共に、上記コイル１３を収納する開口部３２が形成されている。この開口部３２にコイル１３を収納することにより、ステータコア１２をステータ３０側に極力近づけることができるので、全体の薄型化を図ることができる。
【００３３】
また、コイル１３と支持体２５との間には、ステータコア１２、コイル１３及び永久磁石１１により形成される磁界がハードディスクＨＤ側に漏洩することを防ぐシールド板３５が配されている。このシールド板３５は、中央にロータ１０及び折曲部２２が貫通可能な貫通孔３５ａが形成された環状の円板であり、外周側端面がステータ３０に固定されるよう形成されている。
【００３４】
上記流体動圧軸受部４は、シャフト４０と、該シャフト４０を収容するハウジング４１とを備えている。そして、シャフト４０は、ハウジング４１内に微小な隙間を空けて配されており、両者の間にはオイルＷが充填されている。
このシャフト４０は、上記軸線Ｌを中心として略円柱状に形成された軸体４２と、該軸体４２の外周面に半径方向外方に延びて形成された円板状のスラスト軸受板４３とで一体的に構成されている。このスラスト軸受板４３は、軸体４２の軸線Ｌ方向の略中間部分に形成されている。
また、軸体４２の下端（紙面に対して下側）側の外周面には、へリングボーン溝と呼ばれるラジアル動圧発生溝が複数形成されている。また、スラスト軸受板４３の外周面には、へリングボーン溝と呼ばれるスラスト動圧発生溝が複数形成されている。
【００３５】
上記ハウジング４１は、一端側が閉鎖され、他端側が開放された略円筒状のハウジング本体４５と、該ハウジング本体４５との間でスラスト軸受板４３を挟むアッパープレート４６とを有している。
また、ハウジング本体４５には、ラジアル動圧発生溝が形成された軸体４２の下端側を収容するラジアル収容部４７と、スラスト軸受板４３を収容するスラスト収容部４８とが形成されている。
アッパープレート４６は、略中央に軸体４２を貫通する貫通孔４６ａを有するリング状に形成されている。また、貫通孔４６ａは、スラスト軸受板４３側に向かって漸次径が小さくなるテーパ状に形成されている。これにより、貫通孔４６ａ内に通された軸体４２の外周面と貫通孔４６ａとの間に、外側に向かって間隔の広がる円環状のキャピラリーシールが形成される。このキャピラリーシールは、その形状とオイルＷの表面張力とにより、ハウジング４１とシャフト４０との間に充填されたオイルＷを外部に漏れないように保持するようになっている。
【００３６】
このように構成されたスピンドルモータ２及び記録媒体駆動装置１の動作について、以下に説明する。
まず、コイル１３に三相交流電流を供給してコイル１３に磁界（交番磁界）を発生させる。この磁界は、歯極部２１及び折曲部２２を介して永久磁石１１に作用して、ロータ１０を軸線Ｌ回りに回転させる。また、ハードディスクＨＤは、嵌合部３を介してロータ１０に嵌合保持されているので、ハードディスクＨＤがロータ１０の回転に伴って軸線Ｌ回りを一方向に向けて回転する。
特に、歯極部２１には、永久磁石１１の外周面１１ａに対向する対向面２２ａを有する折曲部２２を備えているので、磁束を受け渡す面積が大きい。そのため、スピンドルモータ２の回転トルクに寄与する磁束を増加させることができ、回転効率を向上させることができる。
【００３７】
一方、シャフト４０は、ロータ１０の嵌合孔１６に嵌合しているので、ロータ１０の回転に伴って同様に回転する。この際、シャフト４０に形成されたラジアル動圧発生溝及びスラスト軸受板４３に形成されたスラスト動圧発生溝により、シャフト４０とハウジング４１との間隙に動圧が発生する。シャフト４０の外周面に発生する動圧は、全周に亘って均一に発生するので、シャフト４０がハウジング４１の中心軸線（軸線Ｌ）位置にバランスして保持される。
また、スラスト軸受板４３の両端面に発生する動圧は、それぞれが略同一の動圧によってスラスト軸受板４３を厚さ方向に押圧するので、スラスト軸受板４３が、ハウジング４１とアッパープレート４６との間の軸線Ｌ方向における略中央位置にバランスして保持される。
このように、流体動圧軸受部４によってロータ１０を最適な状態で回転可能に支持できるので、ハードディスクＨＤを円滑且つ高精度に軸線Ｌ回りに回転させることができ、回転効率の向上化を図れる。
【００３８】
また、コイル１３及びステータコア１２とハードディスクＨＤとの間には、シールド板３５が配されているので、ステータコア１２、コイル１３からの磁束がハードディスクＨＤ側に漏洩することを極力防止することができる。よって、各種情報をハードディスクＨＤに記録する際に、該ハードディスクＨＤへの磁気的影響をなくすことができ、信頼性の向上を図ることができる。
【００３９】
特に、本実施形態のスピンドルモータ２は、支持体２５により全ての歯極部２１が一体的に固定されている。つまり、コアバック２０に片持ち状態で固定された各歯極部２１は、それぞれ先端側で連結された状態となる。従って、ステータコア１２を単層（１枚）で極力薄く形成したとしても、歯極部２１の反りや撓み等の変形を極力なくし、機械的強度を向上させることができる。その結果、ステータコア１２全体の反りや撓み等の変形をなくして剛性を高めることができる。これにより、スピンドルモータ２全体の薄型化を図ることができると共に、高い剛性を有しているので回転特性の向上化も図ることができる。
また、支持体２５は、非磁性体材料であるので、磁束に影響がなく、回転効率に影響を与えることはない。また、支持体２５は、折曲部２２の上面より上方に突出しないように嵌め込まれているので、支持体２５の厚みがスピンドルモータ２の厚さに影響を与えることはない。
【００４０】
上述したように、本実施形態のスピンドルモータ２によれば、複数の歯極部２１を一体的に固定する支持体２５を有しているので、ステータコア１２を極力薄く形成したとしても、ステータコア１２の機械的強度及び回転特性を向上することができる。その結果、スピンドルモータ２の薄型化及び回転特性の向上を図ることができる。
特に、１インチ未満のＨＤＤ用スピンドルモータで要求されるモータ高さを満足しつつ、機械的強度、回転特性に優れたスピンドルモータ２を得ることができる。
また、本実施形態の記録媒体駆動装置１は、上述した薄型のスピンドルモータ２を有しているので、装置全体の薄型化及び小型化を図ることができる。また、回転特性の良いスピンドルモータ２であるので、ハードディスクＨＤを高精度に回転させることができ、信頼性を向上することができる。
【００４１】
なお、上記第１実施形態においては、支持体２５を環状に形成し、全ての歯極部２１を一体的に固定したが、環状に限定されるものではない。例えば、図３に示すように、少なくとも隣合う折曲部２２を連結して、隣接する歯極部２１同士を一体的に固定しても構わない。なお、本実施形態の場合では、歯極部２１がコアバック２０に９つ形成されているので、支持体２５は、歯極部２１を２つ又は３つ連結するようになっている。
こうすることで、コアバック２０に片持ち状態で固定された歯極部２１を少なくとも２つ連結できるので、歯極部２１の機械的強度が増加し（剛性が高まり）、反りや撓みを防止することができる。
また、支持体２５は、４つ以上の歯極部２１を連結するように構成しても構わない。好ましくは、上記第１実施形態の支持体２５のように環状に形成されて全ての歯極部２１を連結するのが良い。
【００４２】
次に、本発明に係るスピンドルモータの第２実施形態について、図４から図７を参照して説明する。なお、第２実施形態において第１実施形態と同一の構成については、同一の符号を付しその説明を省略する。
第２実施形態と第１実施形態との異なる点は、第１実施形態のスピンドルモータ２は、支持体２５により全ての歯極部２１を一体的に固定したが、第２実施形態のスピンドルモータ５０は、補強板５１により全ての歯極部２１を一体的に固定する点である。
【００４３】
即ち、本実施形態のスピンドルモータ５０は、図４及び図５に示すように、非磁性体材料により形成されると共にコイル１３に隣接配置され、複数の折曲部２２にそれぞれ嵌合可能な嵌合溝５２を内周面に有しているシート状の補強板５１を備えている。
この補強板５１は、嵌合溝５２を介して複数の折曲部２２を周囲から囲むように連結し、全ての歯極部２１を一体的に固定するようになっている。
また、この補強板５１は、コイル１３側に強磁性体の磁気膜５３を有しており、少なくともコイル１３及びステータコア１２からの磁束を遮断してハードディスクＨＤ側に漏洩しないようになっている。即ち、磁気膜５３は、第１実施形態のシールド板３５と同様の効果を有するものである。この磁気膜５３としては、例えば、金属性のフィルムを貼り付けたり、スパッタリングで形成したり、磁気を帯びた粉を混入した膜を貼り付けたりして形成される。
なお、磁気膜５３は、嵌合溝５２から所定距離Ｌ１離間した位置から半径方向外方に向けて形成されており、折曲部２２に直接的に接触しないようになっている。
【００４４】
このように構成されたスピンドルモータ５０は、図６及び図７に示すように、嵌合溝５２を複数の折曲部２２に嵌合させるように補強板５１を嵌め込むことで、第１実施形態と同様に全ての歯極部２１を一体的に固定することができる。これにより、ステータコア１２を極力薄く形成したとしても、各歯極部２１の反りや撓み等の変形がなくなり、結果的にスピンドルモータ５０全体の機械的強度及び回転特性を向上させることができる。
また、補強板５１は、シート状であるので、折曲部２２の高さ以内に納めることができ、該補強板５１を取り付けることで厚みが増すことはない。更に、補強板５１は、非磁性体材料により形成されているので、磁束に影響はなく、回転効率に影響を与えることはない。
更に、補強板５１は磁気膜５３を有しているので、コイル１３及びステータコア１２から発生した磁束がハードディスクＨＤに漏洩することを防止でき、ハードディスクＨＤへの磁気的影響を極力なくすことができる。
【００４５】
次に、本発明に係るスピンドルモータの第３実施形態について、図８を参照して説明する。なお、第３実施形態において第１実施形態と同一の構成については、同一の符号を付しその説明を省略する。
第３実施形態と第１実施形態との異なる点は、第１実施形態のスピンドルモータ２は、支持体２５により全ての歯極部２１を一体的に固定したが、第３実施形態のスピンドルモータ６０は、支持体２５に加え、第２実施形態の補強板５１により歯極部２１を一体的に固定する点である。
【００４６】
即ち、本実施形態のスピンドルモータ６０は、図８に示すように、支持体２５及び補強板５１を共に備えている。
このように構成されたスピンドルモータ６０は、支持体２５及び補強板５１により、より確実に全ての歯極部２１を一体的に固定できるので、さらに確実にステータコア１２全体の反りや撓み等の変形を防止することができる。よって、ステータコア１２をさらに極力薄くしたとしても、機械的強度や回転特性を確保でき、スピンドルモータ６０の薄型化及び小型化を図ることができる。
【００４７】
なお、本実施形態のスピンドルモータ６０は、支持体２５と補強板５１とを別々に構成したが、図９に示すように、支持体２５と補強板５１とを一体的に構成しても構わない。こうすることで、一度に支持体２５と補強板５１とを取り付けることができるので、取り付けが容易になると共に部品点数を減らすことができるので組み立てが容易となる。
【００４８】
なお、本発明の技術範囲は上記実施の形態に限定されるものではなく、本発明の趣旨を逸脱しない範囲において種々の変更を加えることが可能である。
【００４９】
例えば、上記各実施形態では、歯極部を９つ形成し、３相交流電流を供給する例を示したが、歯極の数は９つに限定されるものではない。
また、上記各実施形態では、ステータコアを１枚のプレートで構成したが、１枚に限られず、例えば、先端を略直角に折り曲げた折曲部を有する厚さの薄いプレートを２枚重ねて構成しても構わない。この場合は、折曲部の折り曲げ方向が互いに逆向きになるように、プレートを重ねれば良い。
また、ロータを流体動圧軸受部により回転可能に支持したが、動圧を利用せずに、単に回転可能に支持する軸受部でも構わない。
【図面の簡単な説明】
【００５０】
【図１】本発明に係るモータ及び記録媒体駆動装置の第１実施形態を示す断面図である。
【図２】図１に示すモータのステータコア及び支持体の上面図である。
【図３】図２に示す支持体の変形例であって、隣接する歯極部を２つ及び３つ連結する支持体の上面図である。
【図４】本発明に係るモータ及び記録媒体駆動装置の第２実施形態を示す断面図である。
【図５】図５に示すモータの補強板の上面図である。
【図６】図５に示す補強板を取り付ける前の状態を示すモータの斜視図である。
【図７】図６に示す状態から、補強板を取り付けた状態を示すモータの斜視図である。
【図８】本発明に係るモータ及び記録媒体駆動装置の第３実施形態を示す断面図である。
【図９】図８に示すモータの変形例であって、支持体と補強板とが一体的に構成されているモータの断面図である。
【符号の説明】
【００５１】
Ｌ    軸線
ＨＤ    ハードディスク（記録媒体）
１    記録媒体駆動装置
２、５０、６０    スピンドルモータ（モータ）
３    嵌合部（保持部）
４    流体動圧軸受部（軸受部）
１０    ロータ（軸体）
１１    永久磁石
１２    ステータコア
１３    コイル
２０    コアバック（環状部）
２１    歯極部
２２    折曲部
２５    支持体（連結部）
５１    補強板
５２    嵌合溝
５３    磁気膜
【図１】
2006136139.tif 000003
【図２】
2006136139.tif 000004
【図３】
2006136139.tif 000005
【図４】
2006136139.tif 000006
【図５】
2006136139.tif 000007
【図６】
2006136139.tif 000008
【図７】
2006136139.tif 000009
【図８】
2006136139.tif 000010
【図９】
2006136139.tif 000011